【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
第１通信部と、
細胞が撮像された第１画像を前記第１通信部によって送信する第１送信手段と、
前記第１画像に撮像された細胞が撮像されており、前記第１画像よりも解像度が高い第２画像を前記第１通信部によって送信する第２送信手段と
を有する画像提供装置と、
画像表示部と、
前記画像提供装置から送信された第１画像と第２画像とを受信する第２通信部と、
前記第１画像を前記画像表示部の第１の領域に表示する第１表示手段と、
前記第２画像を前記画像表示部の第２の領域に表示する第２表示手段と
を有する画像表示装置とを備え、
前記第２送信手段は、第２画像が分割された複数の部分画像のうち、前記第２表示手段による表示に必要な部分画像を他の部分画像に対して優先的に送信すべくなしてあり、
前記第２通信部は、既に受信した部分画像を前記第２表示手段が表示している間に、前記画像提供装置から送信される部分画像を受信する画像表示システム。
【請求項２】
前記第１送信手段は、第１画像が分割された複数の部分画像のうち、前記第１表示手段による表示に必要な部分画像を他の部分画像に対して優先的に送信すべくなしてあり、
前記第２通信部は、既に受信した部分画像を前記第１表示手段が表示している間に、前記画像提供装置から送信される前記第１画像の部分画像を受信する請求項１に記載の画像表示システム。
【請求項３】
前記画像表示装置は、入力部と、ユーザから第１画像のうち表示に必要な部分の指定を前記入力部を介して受け付ける第１指定受付手段と、当該第１指定受付手段が指定を受け付けた第１画像のうち表示に必要な部分を特定する第１指定部分特定情報を前記画像提供装置へと前記第２通信部によって送信する第１指定部分特定情報送信手段とをさらに備え、
前記画像提供装置は、前記画像表示装置から送信された指定部分特定情報を前記第１通信部によって受信し、
前記第１送信手段は、前記第１通信部によって受信された第１指定部分特定情報によって特定される第１画像の部分画像を他の部分画像に対して優先的に送信すべくなしてある請求項２に記載の画像表示システム。
【請求項４】
前記画像表示装置は、前記第１指定受付手段が指定を受け付けた部分の部分画像が、既に受信済みであるか否かを判別する判別手段をさらに備え、
前記第１指定部分特定情報送信手段は、当該判別手段によって前記部分画像がまだ受信されていないと判別された場合に、前記第１指定部分特定情報を前記画像提供装置へと送信すべくなしてある請求項３に記載の画像表示システム。
【請求項５】
前記画像表示装置は、ユーザから第２画像のうち表示に必要な部分の指定を前記入力部を介して受け付ける第２指定受付手段と、当該第２指定受付手段が指定を受け付けた第２画像のうち表示に必要な部分を特定する第２指定部分特定情報を前記画像提供装置へと前記第２通信部によって送信する第２指定部分特定情報送信手段とをさらに備え、
前記画像提供装置は、前記画像表示装置から送信された第２指定部分特定情報を前記第１通信部によって受信し、
前記第２送信手段は、前記第１通信部によって受信された第２指定部分特定情報によって特定される第２画像の部分画像を他の部分画像に対して優先的に送信すべくなしてある請求項３または４に記載の画像表示システム。
【請求項６】
前記画像表示装置は、前記第２指定受付手段が指定を受け付けた部分の部分画像が、既に受信済みであるか否かを判別する判別手段をさらに備え、
前記第２指定部分特定情報送信手段は、当該判別手段によって前記部分画像がまだ受信されていないと判別された場合に、前記第２指定部分特定情報を前記画像提供装置へと送信すべくなしてある請求項５に記載の画像表示システム。
【請求項７】
前記第２送信手段は、前記第１指定部分特定情報によって特定される第１画像の部分画像の送信と、前記第２指定部分特定情報によって特定される第２画像の部分画像の送信とが競合する場合には、前記第１送信手段が、前記第１指定部分特定情報によって特定される第１画像の部分画像を送信した後に、前記第２指定部分特定情報によって特定される第２画像の部分画像を送信すべくなしてある請求項５または６に記載の画像表示システム。
【請求項８】
前記画像提供装置は、前記第１画像の部分画像であって、概ね１つの細胞の像のみが含まれる部分画像である細胞確認用部分画像を前記第１通信部によって送信する第３送信手段をさらに備え、
前記画像表示装置は、
前記画像提供装置から送信された細胞確認用部分画像を前記第２通信部によって受信し、
受信された細胞確認用部分画像を前記画像表示部の第３の領域に表示する第３表示手段をさらに備え、
前記第１指定受付手段は、ユーザから一つの前記細胞確認用部分画像の指定を前記入力部を介して受け付けたときに、前記第１画像のうち、当該細胞確認用部分画像に含まれる細胞の像を含む部分を、表示に必要な部分とすべくなしてある請求項３乃至７のいずれかに記載の画像表示システム。
【請求項９】
前記第１送信手段は、第１画像のうち初期表示に必要な部分の部分画像を他の部分画像に対して優先的に送信すべくなしてあり、
前記第２送信手段は、前記第１送信手段が、第１画像のうち初期表示に必要な部分の部分画像を送信した後に、第２画像のうち初期表示に必要な部分の部分画像を他の部分画像に対して優先的に送信すべくなしてある請求項２乃至８のいずれかに記載の画像表示システム。
【請求項１０】
前記第２送信手段は、前記第１送信手段が第１画像のうち表示に必要な部分画像を送信している間は、データの送信を中断すべくなしてある請求項２乃至９のいずれかに記載の画像表示システム。
【請求項１１】
前記第１送信手段は、前記第１画像のうち表示に必要な部分画像を送信している場合を除き、前記第２送信手段が第２画像のうち表示に必要な部分画像を送信している間は、データの送信を中断すべくなしてある請求項１０に記載の画像表示システム。
【請求項１２】
前記第１および第２画像に撮像された細胞は血液細胞であり、
前記画像表示装置は、前記画像表示部の第４の領域に、細胞を分類し、また分類別にカウントするために、細胞の分類およびカウント結果の表示に用いられる分類カウント表示部を表示する第４表示手段をさらに備える請求項１乃至１１の何れかに記載の画像表示システム。
【請求項１３】
通信部と、
細胞が撮像された第１画像を前記通信部によって送信する第１送信手段と、
前記第１画像に撮像された細胞が撮像されており、前記第１画像よりも解像度が高い第２画像を前記通信部によって送信する第２送信手段とを備え、
前記第２送信手段は、第２画像が分割された複数の部分画像のうち、外部の装置による表示に必要な部分画像を他の部分画像に対して優先的に送信すべくなしてある画像提供装置。
【請求項１４】
画像表示部と、
細胞が撮像された第１画像と、前記第１画像に撮像された細胞が撮像されており、前記第１画像よりも解像度が高い第２画像とを外部から受信する通信部と、
前記第１画像を前記画像表示部の第１の領域に表示する第１表示手段と、
前記第２画像を前記画像表示部の第２の領域に表示する第２表示手段とを備え、
前記通信部は、第２画像が分割された複数の部分画像のうち、既に受信した部分画像を前記第２表示手段が表示している間に、他の部分画像を外部から受信する画像表示装置。
【請求項１５】
前記通信部は、第１画像が分割された複数の部分画像のうち、既に受信した部分画像を前記第１表示手段が表示している間に、他の部分画像を外部から受信する請求項１４に記載の画像表示装置。
【請求項１６】
入力部と、
ユーザから第１画像のうち表示に必要な部分の指定を前記入力部を介して受け付ける第１指定受付手段と、
当該第１指定受付手段が指定を受け付けた第１画像のうち表示に必要な部分を特定する第１指定部分特定情報を前記通信部によって外部へ送信する第１指定部分特定情報送信手段とをさらに備える請求項１５に記載の画像表示装置。
【請求項１７】
前記第１指定受付手段が指定を受け付けた部分の部分画像が、既に受信済みであるか否かを判別する判別手段をさらに備え、
前記第１指定部分特定情報送信手段は、当該判別手段によって前記部分画像がまだ受信されていないと判別された場合に、前記第１指定部分特定情報を外部へ送信すべくなしてある請求項１６に記載の画像表示装置。
【請求項１８】
ユーザから第２画像のうち表示に必要な部分の指定を前記入力部を介して受け付ける第２指定受付手段と、
当該第２指定受付手段が指定を受け付けた第２画像のうち表示に必要な部分を特定する第２指定部分特定情報を前記通信部によって外部へ送信する第２指定部分特定情報送信手段とをさらに備える請求項１６または１７に記載の画像表示装置。
【請求項１９】
前記第２指定受付手段が指定を受け付けた部分の部分画像が、既に受信済みであるか否かを判別する判別手段をさらに備え、
前記第２指定部分特定情報送信手段は、当該判別手段によって前記部分画像がまだ受信されていないと判別された場合に、前記第２指定部分特定情報を外部へ送信すべくなしてある請求項１８に記載の画像表示装置。
【請求項２０】
画像表示部と、外部との通信が可能な通信部とを備えるコンピュータを、
細胞が撮像された第１画像と、前記第１画像に撮像された細胞が撮像されており、前記第１画像よりも解像度が高い第２画像とを前記通信部によって外部から受信する受信手段と、
前記受信手段によって受信された第１画像を前記画像表示部の第１の領域に表示する第１表示手段と、
前記受信手段によって受信された第２画像の一部を前記画像表示部の第２の領域に表示する第２表示手段として機能させるためのコンピュータプログラムであって、
前記受信手段は、第２画像が分割された複数の部分画像のうち、既に受信した部分画像を前記第２表示手段が表示している間に、他の部分画像を前記通信部によって外部から受信するように前記コンピュータを機能させるべくなしてあるコンピュータプログラム。
【請求項２１】
前記受信手段は、第１画像が分割された複数の部分画像のうち、既に受信した部分画像を前記第１表示手段が表示している間に、他の部分画像を前記通信部によって外部から受信するように前記コンピュータを機能させるべくなしてある請求項２０に記載のコンピュータプログラム。
【請求項２２】
前記コンピュータは、入力部をさらに備え、
前記コンピュータを、
ユーザから第１画像のうち表示に必要な部分の指定を前記入力部を介して受け付ける第１指定受付手段と、
当該第１指定受付手段が指定を受け付けた第１画像のうち表示に必要な部分を特定する第１指定部分特定情報を前記通信部によって外部へ送信する送信手段としてさらに機能させるための請求項２１に記載のコンピュータプログラム。
【請求項２３】
前記コンピュータを、
前記入力部によってユーザから第２画像のうち表示に必要な部分の指定を受け付ける第２指定受付手段と、
当該第２指定受付手段が指定を受け付けた第２画像のうち表示に必要な部分を特定する第２指定部分特定情報を前記通信部によって外部へ送信する送信手段としてさらに機能させるための請求項２２に記載のコンピュータプログラム。
【手続補正２】
【補正対象書類名】明細書
【補正対象項目名】００１１
【補正方法】変更
【補正の内容】
【００１１】
本発明に係る画像表示システムは、第１通信部と、細胞が撮像された第１画像を前記第１通信部によって送信する第１送信手段と、前記第１画像に撮像された細胞が撮像されており、前記第１画像よりも解像度が高い第２画像を前記第１通信部によって送信する第２送信手段とを有する画像提供装置と、画像表示部と、前記画像提供装置から送信された第１画像と第２画像とを受信する第２通信部と、前記第１画像を前記画像表示部の第１の領域に表示する第１表示手段と、前記第２画像を前記画像表示部の第２の領域に表示する第２表示手段とを有する画像表示装置とを備え、前記第２送信手段は、第２画像が分割された複数の部分画像のうち、前記第２表示手段による表示に必要な部分画像を他の部分画像に対して優先的に送信すべくなしてあり、前記第２通信部は、既に受信した部分画像を前記第２表示手段が表示している間に、前記画像提供装置から送信される部分画像を受信することを特徴とする。
【手続補正３】
【補正対象書類名】明細書
【補正対象項目名】００１２
【補正方法】変更
【補正の内容】
【００１２】
また、本発明に係る画像提供装置は、通信部と、細胞が撮像された第１画像を前記通信部によって送信する第１送信手段と、前記第１画像に撮像された細胞が撮像されており、前記第１画像よりも解像度が高い第２画像を前記通信部によって送信する第２送信手段とを備え、前記第２送信手段は、第２画像が分割された複数の部分画像のうち、外部の装置による表示に必要な部分画像を他の部分画像に対して優先的に送信すべくなしてあることを特徴とする。
【手続補正４】
【補正対象書類名】明細書
【補正対象項目名】００１３
【補正方法】変更
【補正の内容】
【００１３】
また、本発明に係る画像表示装置は、画像表示部と、細胞が撮像された第１画像と、前記第１画像に撮像された細胞が撮像されており、前記第１画像よりも解像度が高い第２画像とを外部から受信する通信部と、前記第１画像を前記画像表示部の第１の領域に表示する第１表示手段と、前記第２画像を前記画像表示部の第２の領域に表示する第２表示手段とを備え、前記通信部は、第２画像が分割された複数の部分画像のうち、既に受信した部分画像を前記第２表示手段が表示している間に、他の部分画像を外部から受信することを特徴とする。
【手続補正５】
【補正対象書類名】明細書
【補正対象項目名】００１４
【補正方法】変更
【補正の内容】
【００１４】
また、本発明に係るコンピュータプログラムは、画像表示部と、外部との通信が可能な通信部とを備えるコンピュータを、細胞が撮像された第１画像と、前記第１画像に撮像された細胞が撮像されており、前記第１画像よりも解像度が高い第２画像とを前記通信部によって外部から受信する受信手段と、前記受信手段によって受信された第１画像を前記画像表示部の第１の領域に表示する第１表示手段と、前記受信手段によって受信された第２画像の一部を前記画像表示部の第２の領域に表示する第２表示手段として機能させるためのコンピュータプログラムであって、前記受信手段は、第２画像が分割された複数の部分画像のうち、既に受信した部分画像を前記第２表示手段が表示している間に、他の部分画像を前記通信部によって外部から受信するように前記コンピュータを機能させるべくなしてあることを特徴とする。
【手続補正６】
【補正対象書類名】明細書
【補正対象項目名】００１６
【補正方法】変更
【補正の内容】
【００１６】
上記発明においては、前記第１送信手段は、第１画像が分割された複数の部分画像のうち、前記第１表示手段による表示に必要な部分画像を他の部分画像に対して優先的に送信すべくなしてあり、前記第２通信部は、既に受信した部分画像を前記第１表示手段が表示している間に、前記画像提供装置から送信される前記第１画像の部分画像を受信することが好ましい。
【手続補正７】
【補正対象書類名】明細書
【補正対象項目名】００１８
【補正方法】変更
【補正の内容】
【００１８】
上記発明においては、前記画像表示装置は、入力部と、ユーザから第１画像のうち表示に必要な部分の指定を前記入力部を介して受け付ける第１指定受付手段と、当該第１指定受付手段が指定を受け付けた第１画像のうち表示に必要な部分を特定する第１指定部分特定情報を前記画像提供装置へと前記第２通信部によって送信する第１指定部分特定情報送信手段とをさらに備え、前記画像提供装置は、前記画像表示装置から送信された指定部分特定情報を前記第１通信部によって受信し、前記第１送信手段は、前記第１通信部によって受信された第１指定部分特定情報によって特定される第１画像の部分画像を他の部分画像に対して優先的に送信するように構成されていることが好ましい。
【手続補正８】
【補正対象書類名】明細書
【補正対象項目名】００２０
【補正方法】変更
【補正の内容】
【００２０】
上記発明においては、前記画像表示装置は、前記第１指定受付手段が指定を受け付けた部分の部分画像が、既に受信済みであるか否かを判別する判別手段をさらに備え、前記第１指定部分特定情報送信手段は、当該判別手段によって前記部分画像がまだ受信されていないと判別された場合に、前記第１指定部分特定情報を前記画像提供装置へと送信するように構成されていることが好ましい。
【手続補正９】
【補正対象書類名】明細書
【補正対象項目名】００２２
【補正方法】変更
【補正の内容】
【００２２】
上記発明においては、前記画像表示装置は、ユーザから第２画像のうち表示に必要な部分の指定を前記入力部を介して受け付ける第２指定受付手段と、当該第２指定受付手段が指定を受け付けた第２画像のうち表示に必要な部分を特定する第２指定部分特定情報を前記画像提供装置へと前記第２通信部によって送信する第２指定部分特定情報送信手段とをさらに備え、前記画像提供装置は、前記画像表示装置から送信された第２指定部分特定情報を前記第１通信部によって受信し、前記第２送信手段は、前記第１通信部によって受信された第２指定部分特定情報によって特定される第２画像の部分画像を他の部分画像に対して優先的に送信するように構成されていることが好ましい。
【手続補正１０】
【補正対象書類名】明細書
【補正対象項目名】００２４
【補正方法】変更
【補正の内容】
【００２４】
上記発明においては、前記画像表示装置は、前記第２指定受付手段が指定を受け付けた部分の部分画像が、既に受信済みであるか否かを判別する判別手段をさらに備え、前記第２指定部分特定情報送信手段は、当該判別手段によって前記部分画像がまだ受信されていないと判別された場合に、前記第２指定部分特定情報を前記画像提供装置へと送信するように構成されていることが好ましい。
【手続補正１１】
【補正対象書類名】明細書
【補正対象項目名】００２８
【補正方法】変更
【補正の内容】
【００２８】
上記発明においては、前記画像提供装置は、前記第１画像の部分画像であって、概ね１つの細胞の像のみが含まれる部分画像である細胞確認用部分画像を前記第１通信部によって送信する第３送信手段をさらに備え、前記画像表示装置は、前記画像提供装置から送信された細胞確認用部分画像を前記第２通信部によって受信し、受信された細胞確認用部分画像を前記画像表示部の第３の領域に表示する第３表示手段をさらに備え、前記第１指定受付手段は、ユーザから一つの前記細胞確認用部分画像の指定を前記入力部を介して受け付けたときに、前記第１画像のうち、当該細胞確認用部分画像に含まれる細胞の像を含む部分を、表示に必要な部分とするように構成されていることが好ましい。